(57)【要約】      （修正有）【課題】発泡剤を使用せず、容器の内部が即収納容積となり収納量が多く、補助冷蔵庫として、また携帯冷蔵庫として使用可能な保冷器を提供する。【解決手段】器内の温度を家庭の冷蔵室の温度まで低下させる為に、冷凍した保冷剤を大量に使用する。そのために円筒型にし、その内側に保冷剤のポケツトを作り、例えば、保冷剤を底板に２個、側面に６個、内容物の上に２個、上蓋に２個使用し、上下側面よりの冷気により、内容物の冷蔵保冷を行う。【選択図】図４
2006062746.tif 000002
【特許請求の範囲】
【請求項１】
本保冷器の形状を円筒型とした。本容器はアルミ箔にビニール、シートを蒸着縫製材の内面ビニール部を高周波ミシンで圧着接合し、その縫合部を布テープとｐｐテープで補強します。円筒の縦  上下のリンク等全ての縫合は、この様に実施し堅牢な円筒体が出来上がります。円筒の内部には発砲体それを外部のアルミ箔と縫合するという、一般補冷器の作業は実施しませんから、円筒内部が即収納容積となり、多くの物品又大きな物品の収納が可能となつた。
【請求項２】
本保冷器は内容物の冷蔵と保令を可能にした。本保冷器の内側のビニールに保冷剤を入れるポケットを作り、保冷剤を入れ内容物を側面からも、保冷します。例  ３５０ｍｍの直経の円周は、１０９９ＭＭになりますので１５ｏｍｍ幅の保冷剤ポケットを、６個作ることが出来ます。
【請求項３】
内容物の上に中蓋に２個の保冷剤を置きます。
【請求項４】
保冷器の上蓋に２個の保冷剤置着ます。
【請求項５】
以上の通り合計１２個の保冷剤を挿入した場合、器内の温度は１０度ｃ程度に低下し、冷蔵保冷が可能となります。
【発明の詳細な説明】
【技術の分野】
【０００１】本発明の冷蔵保冷器は冷蔵保計冷を目的としました為に、円筒の内側の円周を利用し、保冷剤のポケット多数作る必要な事。角型の場合の角のＤＥＡＴＨ、ＳＰＡＣＥをなくし、収納量の増加と保冷力の増加の為、円筒型としました。
発明の効果
【０００１】今まで作られた保冷器は、既に冷蔵された内容物を、保冷剤と発泡材で外部の熱気を遮断し、保冷することを目的としましたが、真夏の高温下では、その保冷力は弱く短時間しか保冷出来ませんでした。
本保冷器は、保冷剤を大量に使用し、器内の温度を家庭の冷蔵庫の冷蔵室程度に、低下させ、器内の内容物を冷蔵、保冷する全く新しい発想で作られたのが、本冷蔵保冷器であります。内径３５０  高さ４５０ミリ、の試作品を作りました。
【０００２】本保冷器で冷蔵、保冷状況を実験しました結果は下記の通り。
室内温度３０度，保冷剤を底板に２個。中板２個。側面５個。上部に２個。計１１個挿入して西瓜を入れ、保冷器の上蓋をチャツクし、保冷布で包みました。
１時間後の器内温度１０度。２時間後１２度。３時間後１５度。
その冷蔵保冷の能力が実証されました。
【０００３】本保冷器は、発泡剤を使用せず、容器の内部が即収納容積となりますので収納量が多く、家庭の冷蔵庫では収納冷蔵出来なかつた大物例えば西瓜の冷蔵、又ホームパーテイの来客用の飲食物の冷蔵保冷に、補助冷蔵庫として使用出来ます。戸外スポーツ大会。ドライブ旅行の時の携帯冷蔵庫として使用できます。
【０００４】本保冷器は発泡材を包装する手間と経費が節減されますから製作費が安上がり出来ます。
【０００５】本保冷剤は繰り返し使用出来ますので経済的です。
【０００６】本保冷器は内部がビニール、シートですので使用後の清掃が容易です。
【０００７】
2006062746.tif 000003
の側面等に保管出来ます。
【０００８】本保冷器には３５０ｍｌ、缶５０本。５００ｍｌ、のペットポトル３０本。市販保冷器の２〜３倍の収容能力があります。
2006062746.tif 000004
【図１】
2006062746.tif 000005
【図２】
2006062746.tif 000006
【図３】
2006062746.tif 000007
【図４】
2006062746.tif 000008
【図５】
2006062746.tif 000009
【図６】
2006062746.tif 000010
【図７】
2006062746.tif 000011
【図８】
2006062746.tif 000012
【図９】
2006062746.tif 000013
【図９】
2006062746.tif 000014
2006062746.tif 000015
【手続補正書】
【提出日】平成17年3月16日(2005.3.16)
【手続補正１】
【補正対象書類名】明細書
【補正対象項目名】全文
【補正方法】変更
【補正の内容】
【発明の詳細な説明】
今まで市販されている保冷器は  既に保冷された内容物を保冷器の内部に取付られた  ウレタん  ホーム等の発泡剤の断熱効果により外気温を遮断して  内容物を保冷去れていましたが  最近の夏季の高温下では  発泡剤による  外気温を遮断することは  困難となりました
本発明の円筒型冷蔵保冷器は  全くその発想を異にし  予め冷凍された冷凍剤を一度に多数  器内に装着することにより  器内の温度を家庭用冷蔵庫の  冷蔵温度  ２０度ｃ程度まで低下させ  内容物の冷蔵保冷を目的で製作され  ました
【発明の開示】
家庭の冷蔵庫の補助を目的として  経２５０／  縦４５０／の円筒型冷蔵保冷器を試作しました  それに基ずき具体的に発明を開示します
【０００１】本冷凍器は保冷材により製作した円筒を冷凍器の本体とした為  内容物の保冷と円筒型保持のため  市販のアルミ箔に３／のビニールシート蒸着した保冷材を使用しました
【０００２】経２００／の円周は７８５／になりますので接着幅２０／を加え８０５／を横  縦４５０／  上１０／  下５０／の接着を加え  ５００／の生地とりをします
【０００３】円筒製作に先に円筒の内面に  横１２０／  縦１２０／の冷凍剤ポケットを作り  そのポケットを円筒内面の円７８５／に接着し  ５個作ります
【０００４】横８０５／の生地の  縦上１０／下３０／の接着幅を除き左右１０／の接着幅を高周波ミシンで接合した上ミシン掛けをする
【０００５】円筒の上部に２５０／の鋼鉄リングを１０／の接着幅で包み接着ミシン掛けし更にフアスナー取り付け用に３０／の布テ  プでミシン掛けする
【０００６】円筒下部の５０／接着幅はリングを包み接着した後  円筒底と接着しミシン掛けし円筒底部を作る  円筒の完成
【０００７】上蓋  下部  中部の冷凍入ホケットの構造は  図２  の通り
【０００８】上蓋と本体は３５／のは帆で接合  ７５０／のフアスナ  で開閉する
【０００９】予め冷凍した冷凍剤を各ポケットに挿入  準備完了
１時間経過後の庫内温度  １０度
２時間経過後            １２度
３時間経過後            １５度
以上の通りの保冷効果が実証せられました  今まで家庭冷蔵庫では保冷出来なかつた大型の又大量の内容物の保冷が可能となり家庭冷蔵庫の補助にスポ  ツ大会  レジャ  等に携帯冷蔵庫として広範囲の使用が期待されます
【図面の簡単な説明】
【図１】円周囲用の冷凍剤ポケットの製作図
【図２】円筒内部の冷凍剤ポケットの製作図
【図３】上蓋の製作図
【図４】下底の製作図
【図５】円筒型冷蔵保冷器野完成図
【図６】保冷布で被覆した状況図
【手続補正２】
【補正対象書類名】図面
【補正対象項目名】全図
【補正方法】変更
【補正の内容】
【図１】
2006062746.tif 000016
【図２】
2006062746.tif 000017
【図３】
2006062746.tif 000018
【図４】
2006062746.tif 000019
【図５】
2006062746.tif 000020
【図６】
2006062746.tif 000021